(57)【要約】【課題】部品点数が少なく、簡単な構造で、高い精度を実現する重ね合わせユニット取付構造を持った画像形成装置を実現する。【解決手段】孔又は溝からなり位置決め手段に隙間を持って位置決めピンを嵌入させる隙間嵌め結合と位置決めピンをキャップ部材を介在させて位置決め手段に嵌入させる締まり嵌め結合とにより、重ね合わせユニットを像形成ユニット及び画像形成装置本体に結合する。【選択図】図２
2007178730.tif 000002
【特許請求の範囲】
【請求項１】
単色トナー像を形成する像形成ユニット及び該像形成ユニットにおいて形成された単色トナー像を重ね合わせて多色トナー像を形成する重ね合わせユニットを有する画像形成装置において、
第１位置において、第１位置決め手段及び該第１位置決め手段に隙間を持って嵌入する第１位置決めピンにより隙間嵌め結合し、
第２位置において、第２位置決め手段、該第２位置決め手段に嵌入する第２位置決めピン及び前記第２位置決め手段と前記第２位置決めピンとの間に介在させたキャップ部材による締まり嵌め結合することにより、
前記像形成ユニットと前記重ね合わせユニットとが結合されたことを特徴とする画像形成装置。
【請求項２】
前記像形成ユニットは、像形成体、該像形成体上に静電潜像を形成する潜像形成手段及び形成された静電潜像を現像して前記像形成体上にトナー像を形成する現像手段を有し、前記重ね合わせユニットは、前記像形成体から転写された前記トナー像を担持する中間転写体を有することを特徴とする請求項１に記載の画像形成装置。
【請求項３】
前記像形成ユニットは、像形成体、該像形成体上に静電潜像を形成する潜像形成手段及び形成された静電潜像を現像して前記像形成体上にトナー像を形成する現像手段を有し、前記重ね合わせユニットは、前記像形成体から転写された前記トナー像を担持する記録材を搬送する記録材搬送体を有することを特徴とする請求項１に記載の画像形成装置。
【請求項４】
前記重ね合わせユニットは、像形成体を有するとともに、前記像形成ユニットは前記像形成体上に静電潜像を形成する潜像形成手段及び形成された静電潜像を現像してトナー像を形成する現像手段を有することを特徴とする請求項１に記載の画像形成装置。
【請求項５】
前記重ね合わせユニットは、前記第１位置決め手段が設けられた重ね合わせユニット枠を有するとともに、前記像形成ユニットは、第３位置決め手段が設けられた第１像形成ユニット枠を有し、前記第１位置決めピンを前記第１、第３位置決め手段に嵌入することにより、前記隙間嵌め結合が形成されることを特徴とする請求項１〜４のいずれか１項に記載の画像形成装置。
【請求項６】
第２位置決めピンは前記重ね合わせユニット枠に形成されるとともに、前記第２位置決め手段は前記第１像形成ユニット枠に設けられ、前記キャップ部材は前記第２位置決めピンに差し込まれたことを特徴とする請求項１〜５のいずれか１項に記載の画像形成装置。
【請求項７】
像形成装置本体及び重ね合わせユニットを有する画像形成装置において、
第１位置において、第１位置決め手段及び該第１位置決め手段に隙間を持って嵌入する第１位置決めピンにより隙間嵌め結合し、
第２位置において、第２位置決め手段、該第２位置決め手段に嵌入する第２位置決めピン、及び前記第２位置決め手段と前記第２位置決めピンとの間に介在させたキャップ部材により締まり嵌め結合することにより、
前記像形成装置本体と前記重ね合わせユニットが結合されたことを特徴とする画像形成装置。
【請求項８】
前記像形成装置本体は、前記第１位置決めピンが設けられた本体枠を有するとともに、前記重ね合わせユニットは前記第１位置決め手段が設けられた重ね合わせユニット枠を有することを特徴とする請求項７に記載の画像形成装置。
【請求項９】
前記重ね合わせユニットに転写されるトナー像を形成する像形成ユニットを有し、且つ、前記重ね合わせユニット枠には、前記第２位置決めピンが設けられるとともに、前記像形成ユニットは第２像形成ユニット枠を有し、該第２像形成ユニット枠には、前記第２位置決め手段が設けられたことを特徴とする請求項８に記載の画像形成装置。
【請求項１０】
前記第１位置決め手段は孔からなることを特徴とする請求項１〜９のいずれか１項に記載の画像形成装置。
【請求項１１】
前記第２位置決め手段は溝からなることを特徴とする請求項１〜１０のいずれか１項に記載の画像形成装置。
【請求項１２】
前記第３位置決め手段は孔からなることを特徴とする請求項５に記載の画像形成装置。
【請求項１３】
前記重ね合わせユニットに転写されるトナー像を形成する像形成ユニットを有し、該像形成ユニットと前記重ね合わせユニットとは、前記隙間嵌め結合と前記締まり嵌め結合とにより結合されたことを特徴とする請求項７に記載の画像形成装置。
【発明の詳細な説明】
【技術分野】
【０００１】
本発明は記録材に画像を形成する画像形成装置に関し、特に電子写真プロセスにより画像を形成する画像形成装置に関する。
【背景技術】
【０００２】
電子写真プロセスにより画像を形成する画像形成装置では、感光体等の像形成体上にトナー像を形成し、形成したトナー像を記録材に転写し、定着することにより画像が形成される。
【０００３】
近年、電子写真画像形成装置に対する高画質化のニーズが高まっており、カラー化の傾向により高画質化に対するニーズが更に厳しくなってきている。
【０００４】
カラー画像は単色画像の重ね合わせにより形成されるが、重ね合わせ時の位置ズレによる色ズレを無くすることがカラー画像形成装置における課題の一つになっている。
【０００５】
特許文献１においては、複数の像形成ユニット及び該複数の像形成ユニットに沿って走行する転写ベルトを有する重ね合わせユニットを有する画像形成装置において、複数像形成ユニットのうちの最上流ユニットと最下流ユニットの位置で突き当てによる位置決めを行っており、この位置決めにはバネによる付勢手段を用いている。
【０００６】
特許文献２では、感光体ドラムを支持する上ユニットと転写部を支持する下ユニット間の位置決めを上下左右方向に揺動可能なバネを用いて行っている。
【特許文献１】特開平７−２６１４９３号公報
【特許文献２】特開平８−３００５４号公報
【発明の開示】
【発明が解決しようとする課題】
【０００７】
特許文献１、２のようにバネを用いて像形成ユニットに対して転写部を位置決めする位置決め構造では、位置決め用の突き当て構造の他にバネ、該バネを支持するバネ支持構造が必要であるなど、構造が複雑になって、コストアップとなるとともに、組み立て工程が複雑になる等の問題がある。
【０００８】
本発明は、簡単な構造で高い位置精度で転写部が位置決めされた画像形成装置を提供することを目的とする。
【課題を解決するための手段】
【０００９】
前記目的は下記の発明により達成される。
１．
単色トナー像を形成する像形成ユニット及び該像形成ユニットにおいて形成された単色トナー像を重ね合わせて多色トナー像を形成する重ね合わせユニットを有する画像形成装置において、
第１位置において、第１位置決め手段及び該第１位置決め手段に隙間を持って嵌入する第１位置決めピンにより隙間嵌め結合し、
第２位置において、第２位置決め手段、該第２位置決め手段に嵌入する第２位置決めピン及び前記第２位置決め手段と前記第２位置決めピンとの間に介在させたキャップ部材による締まり嵌め結合することにより、
前記像形成ユニットと前記重ね合わせユニットとが結合されたことを特徴とする画像形成装置。
２．
前記像形成ユニットは、像形成体、該像形成体上に静電潜像を形成する潜像形成手段及び形成された静電潜像を現像して前記像形成体上にトナー像を形成する現像手段を有し、前記重ね合わせユニットは、前記像形成体から転写された前記トナー像を担持する中間転写体を有することを特徴とする前記１に記載の画像形成装置。
３．
前記像形成ユニットは、像形成体、該像形成体上に静電潜像を形成する潜像形成手段及び形成された静電潜像を現像して前記像形成体上にトナー像を形成する現像手段を有し、前記重ね合わせユニットは、前記像形成体から転写された前記トナー像を担持する記録材を搬送する記録材搬送体を有することを特徴とする前記１に記載の画像形成装置。
４．
前記重ね合わせユニットは、像形成体を有するとともに、前記像形成ユニットは前記像形成体上に静電潜像を形成する潜像形成手段及び形成された静電潜像を現像してトナー像を形成する現像手段を有することを特徴とする前記１に記載の画像形成装置。
５．
前記重ね合わせユニットは、前記第１位置決め手段が設けられた重ね合わせユニット枠を有するとともに、前記像形成ユニットは、第３位置決め手段が設けられた第１像形成ユニット枠を有し、前記第１位置決めピンを前記第１、第３位置決め手段に嵌入することにより、前記隙間嵌め結合が形成されることを特徴とする前記１〜４のいずれか１項に記載の画像形成装置。
６．
第２位置決めピンは前記重ね合わせユニット枠に形成されるとともに、前記第２位置決め手段は前記第１像形成ユニット枠に設けられ、前記キャップ部材は前記第２位置決めピンに差し込まれたことを特徴とする前記１〜５のいずれか１項に記載の画像形成装置。
７．
像形成装置本体及び重ね合わせユニットを有する画像形成装置において、
第１位置において、第１位置決め手段及び該第１位置決め手段に隙間を持って嵌入する第１位置決めピンにより隙間嵌め結合し、
第２位置において、第２位置決め手段、該第２位置決め手段に嵌入する第２位置決めピン、及び前記第２位置決め手段と前記第２位置決めピンとの間に介在させたキャップ部材により締まり嵌め結合することにより、
前記像形成装置本体と前記重ね合わせユニットが結合されたことを特徴とする画像形成装置。
８．
前記像形成装置本体は、前記第１位置決めピンが設けられた本体枠を有するとともに、前記重ね合わせユニットは前記第１位置決め手段が設けられた重ね合わせユニット枠を有することを特徴とする前記７に記載の画像形成装置。
９．
前記重ね合わせユニットに転写されるトナー像を形成する像形成ユニットを有し、且つ、前記重ね合わせユニット枠には、前記第２位置決めピンが設けられるとともに、前記像形成ユニットは第２像形成ユニット枠を有し、該第２像形成ユニット枠には、前記第２位置決め手段が設けられたことを特徴とする前記８に記載の画像形成装置。
１０．
前記第１位置決め手段は孔からなることを特徴とする前記１〜９のいずれか１項に記載の画像形成装置。
１１．
前記第２位置決め手段は溝からなることを特徴とする前記１〜１０のいずれか１項に記載の画像形成装置。
１２．
前記第３位置決め手段は孔からなることを特徴とする前記５に記載の画像形成装置。
１３．
前記重ね合わせユニットに転写されるトナー像を形成する像形成ユニットを有し、該像形成ユニットと前記重ね合わせユニットとは、前記隙間嵌め結合と前記締まり嵌め結合とにより結合されたことを特徴とする前記７に記載の画像形成装置。
【発明の効果】
【００１０】
本発明により、像形成ユニット、画像形成装置本体と重ね合わせユニットとの間の位置決めのために、キャップ部材を取り付けるのみで、高精度の位置決めが行われるので、低コストで、且つ、簡単な組み立てにより像形成ユニットに対して重ね合わせユニットが高い精度で位置決めされ組み付けられた画像形成装置が実現される。
【発明を実施するための最良の形態】
【００１１】
（１）実施の形態１
＜画像形成装置の構造＞
以下に、実施の形態により本発明を説明するが、本発明は該実施の形態に限られたない。図１は、本発明の実施の形態１に係るカラー画像形成装置の概略構成図である。
【００１２】
画像形成装置１００は、タンデム構成のフルカラーの画像形成装置と称せられるもので、複数組の像形成ユニットＹ，Ｍ，Ｃ，Ｋと、重ね合わせユニットＴと、給紙ローラＲ１等で構成される給紙搬送部２１及び定着器２４を備える。画像形成装置本体Ａの上部には、原稿画像読み取り装置ＳＣが配置されている。
【００１３】
また、画像形成装置本体Ａには着脱可能にした引き出しユニットＤが設けられており、引き出しユニットＤ内には像形成ユニットＹ、Ｍ、Ｃ、Ｋと、重ね合わせユニットＴとが設けられている。なお、記録材Ｐに画像を形成する像形成ユニットとしての引き出しユニットＤはプロセスカートリッジと呼ばれる画像形成装置本体Ｈからレール８０Ｒで案内されて引き出し可能である。
【００１４】
図１では、像形成ユニットＹ、Ｍ、Ｃ、Ｋが垂直方向に縦列配置され、各像形成ユニットを構成する感光体の左側方に重ね合わせユニットＴが配置されている。重ね合わせユニットＴは、複数のローラ７０Ｒに巻き回された無端ベルト状の中間転写体７０、各像形成ユニットで形成されたトナー画像を中間転写体７０上に転写させる一次転写ローラ５Ｙ、５Ｍ、５Ｃ、５Ｋ、中間転写体７０上に残存したトナーを除去するクリーニング装置６Ａから構成される。次に、画像形成装置１００で行われる像形成ユニットについて説明する。
【００１５】
イエロー色の画像を形成する像形成ユニットＹは、ドラム状の感光体１Ｙ、該感光体１Ｙの周囲に配置された帯電装置２Ｙ、露光装置３Ｙ、現像装置４Ｙ、一次転写装置としての一次転写ローラ５Ｙ、クリーニング装置６Ｙを有する。マゼンタ色の画像を形成する像形成ユニットＭは、ドラム状の感光体１Ｍ、該感光体１Ｍの周囲に配置された帯電装置２Ｍ、露光装置３Ｍ、現像装置４Ｍ、一次転写装置としての一次転写ローラ５Ｍ、クリーニング装置６Ｍを有する。シアン色の画像を形成する像形成ユニットＣは、ドラム状の感光体１Ｃ、該感光体１Ｃの周囲に配置された帯電装置２Ｃ、露光装置３Ｃ、現像装置４Ｃ、一次転写装置としての一次転写ローラ５Ｃ、クリーニング装置６Ｃを有する。黒色画像を形成する像形成ユニットＫは、ドラム状の感光体１Ｋ、該感光体１Ｋの周囲に配置された帯電装置２Ｋ、露光装置３Ｋ、現像装置４Ｋ、一次転写装置としての一次転写ローラ５Ｋ、クリーニング装置６Ｋを有する。
【００１６】
重ね合わせユニットＴは、複数のローラ７０Ｒにより巻回され、回動可能に支持された半導電性無端ベルト状の中間転写体７０を有する。
【００１７】
像形成ユニットＹ，Ｍ，Ｃ，Ｋより形成された各色の画像は、一次転写ローラ５Ｙ，５Ｍ，５Ｃ，５Ｋにより、回動する中間転写体７０上に逐次転写されて、重ね合わされてカラートナー像が形成される。
【００１８】
給紙カセット２０内に収容された記録材Ｐは、第１給紙ローラＲ１により、１枚づつ送り出され、給紙ローラＲ２により搬送されて、レジストローラＲ３の上流位置で一時停止する。一時停止後、記録材ＰはレジストローラＲ３により像形成ユニットＹ、Ｍ、Ｃ、Ｋにおける像形成ユニットと同期して、転写位置に搬送される。中間転写体７０を支持するローラの一つであるローラ７０Ｒと転写ローラ５Ａとにより形成される転写位置においては、記録材Ｐ上にカラトナー像が転写される。
【００１９】
カラートナー像が転写された記録材Ｐは、定着器２４により定着処理され、排紙ローラ２５に挟持されて機外の排紙トレイ２６上に載置される。
【００２０】
両面像形成ユニットにおいては、表面に画像が形成された記録材Ｐは定着器２４を通過後に下方に進行して反転搬送路２７において、表裏反転した後に、レジストローラＲ３へと再給紙される。再給紙された記録材Ｐ上に裏面画像を形成し、定着した後、記録材Ｐは排紙トレイ２６に排出される。
【００２１】
一方、二次転写手段としての二次転写ローラ５Ａにより記録材Ｐにカラートナー像を転写した後、記録材Ｐを曲率分離した中間転写体７０は、クリーニング装置６Ａにより残留トナーが除去される。
【００２２】
図２は画像形成装置本体Ｈと重ね合わせユニットＴと像形成ユニットとしての引き出しユニットＤとの関係を示す図である。画像形成装置本体Ｈには、引き出しユニットＤが装着され、矢印Ｗで示すように引き出し可能である。引き出しユニットＤは、単色画像を形成する像形成ユニットＹ、Ｍ、Ｃ、Ｋを有するとともに、形成され転写されたトナー像を担持する重ね合わせユニットＴを有する。重ね合わせユニットＴは画像形成装置本体Ｈ及び引き出しユニットＤに対して、重ね合わせユニット枠７１、７２を引き出しユニットＤの前面枠８０（第１像形成ユニット枠）、引き出しユニットＤの中間枠８１（第２像形成ユニット枠）及び画像形成装置本体Ｈの背面枠８２（本体枠）に対して、以下に説明する隙間嵌め結合及び締まり嵌め結合することにより、高精度に位置決めされる。
【００２３】
図３は引き出しユニットＤの前面枠８０を示し、図４は引き出しユニットＤの中間枠８１を示し、図５は画像形成装置本体Ｈの背面枠８２を示す。なお、図４及び図５はそれぞれ中間枠８１、背面枠８２を画像形成装置の手間側、即ち、図２の矢印Ｗと反対の方向から見た図であり、図３は前面枠８０を画像形成装置の奥側、即ち、図２の矢印Ｗの方向から見た図である。
【００２４】
前面枠８０は孔８０Ｙ、８０Ｍ、８０Ｃ及び８０Ｋを有し、これらの孔は、像形成ユニットＹ、Ｍ、Ｃ、Ｋをそれぞれ支持する。同様に、中間枠８１は、孔８１Ｙ、８１Ｍ、８１Ｃを有し、これらの孔はそれぞれ、像形成ユニットＹ、Ｍ、Ｃを支持する。なお、像形成ユニットＫは、中間枠８１の下部に設けられた凹部８１Ｋに嵌入する。
【００２５】
次に、重ね合わせユニットＴの支持構造について説明する。
【００２６】
重ね合わせユニットＴは色ずれが起こらないように、ミクロンオーダーの精度で位置決めされ取り付けられる必要がある。このような高い位置精度を実現するために、本発明においては、隙間嵌めと締まり嵌めとを併用している。
＜隙間嵌め結合＞
図６は重ね合わせユニットＴの斜視図である。
【００２７】
重ね合わせユニットＴは複数のローラ７０Ｒ（図１に示す）や転写ローラ５Ｙ、５Ｍ、５Ｃ、５Ｋの両軸端を支持する重ね合わせユニット枠７１、７２により図示のように箱状に形成される。
【００２８】
重ね合わせユニット枠７１、７２には、図では７１についてのみが示されているが、それぞれ、第１位置決め手段としての位置決め孔７３Ａ、７３Ｂが設けられる。
【００２９】
重ね合わせユニットＴ側の位置決め孔７３Ａ、７３Ｂに対応して、前面枠８０に第３位置決め手段としての位置決め孔８０Ａ、８０Ｂが設けられるとともに、中間枠８１に、貫通孔８１Ａ、８１Ｂが設けられる。また、画像形成装置本体の背面枠８２には、重ね合わせユニット側の位置決め孔７３Ａ、７３Ｂに対応して第１位置決めピンとしての位置決めピン８３Ａ、８３Ｂが固定される。
【００３０】
位置決めピン８３Ａは貫通孔８１Ａを貫通し、位置決め孔７３Ａ（重ね合わせユニット７２の位置決め手段７３Ａ）に嵌入し、位置決めピン８３Ｂは貫通孔８３Ｂを貫通し、位置決め孔７３Ｂ（重ね合わせユニット７２の位置決め手段７３Ｂ）に嵌入する。
【００３１】
位置決めピン８３Ａ、８３Ｂは図７に示した形状を有しており、ピンと鍔８３３とを有し、ピンの基部８３１及び先端部８３２はミクロンオーダーの精度の直径を有し、基部８３１は位置決め面を形成する。なお、位置決めピン８３Ａと８３Ｂとは同一であり、図７において８３で示されている。図７（ａ）は位置決めピン８３の平面図、図７（ｂ）は位置決めピン８３の断面図である。
【００３２】
鍔８３３に設けられた溝８３４には位置決めピン８３Ａ、８３Ｂを前面枠８０及び背面枠８２に固定するネジが嵌入する。
【００３３】
背面枠８２には、位置ピン８３Ａ、８３Ｂが予め固定される一方、前面枠８０には、位置決めピン８３Ａ、８３Ｂが引き出しユニットＤに重ね合わせユニットＴを装着する際に前面枠８０に固定される。
【００３４】
即ち、重ね合わせユニットＴを引き出しユニットＤに組み付け、重ね合わせユニットＴの重ね合わせユニット７２の位置決め孔７３Ａを前面枠８０の位置決め孔８０Ａに位置合わせし、位置決め孔７３Ｂを位置決め孔８０Ｂに位置合わせした後に、位置決めピン８３Ａを位置決め孔７３Ａ及び８０Ａに嵌入し、位置決めピン８３Ｂを位置決め孔７３Ｂ及び８０Ｂに嵌入し、それぞれを前面枠８０に固定する。
【００３５】
位置決め孔７３Ａ、７３Ｂ、８０Ａ、８０Ｂの径と、位置決めピン８３Ａ、８３Ｂの基部８３１の外径との差が３０〜５０μｍとなるように、これら部品が加工されているので、位置決めピン８３Ａ、８３Ｂと位置決め孔７３Ａ、７３Ｂ、８０Ａ、８０Ｂとの嵌合による隙間嵌めにより、重ね合わせユニットＴが引き出しユニットＤに対して数十ミクロンの誤差範囲内の位置決めが行われる。
＜締まり嵌め結合＞
図６に示すように重ね合わせユニットＴの重ね合わせユニット枠７１、７２には、位置決め孔７３Ａ、７３Ｂが設けられた第１位置に近い第２位置に、第２位置決めピンとしての位置決めピン７４Ａ、７４Ｂが固定される。なお、図６では重ね合わせユニット７１の位置決めピン７４Ａ、７４Ｂが示されているが、重ね合わせユニット７２にも位置決めピン７４Ａ、７４Ｂが設けられる。
【００３６】
一方、中間枠８１には、図６に示すように重ね合わせユニット７の位置決めピン７４Ａに対応して第２位置決め手段としての支持部材８４Ａが固定され、位置決めピン７４Ｂに対応して第２位置決め手段としての支持部材８４Ｂが固定される。
【００３７】
前面枠８０にも図３に示すように、第２位置決め手段としての支持部材８４Ａ、８４Ｂが設けられる。即ち、重ね合わせユニット側の位置決めピン７４Ａに対応して支持部材８４Ａが固定され、位置決めピン７４Ｂに対応して支持部材８４Ｂが固定される。
【００３８】
支持部材８４Ａ、８４Ｂは同一形状を有しており、図８に８４で示すように、基板８４１に支持溝８４２を形成する突条８４３が形成されるとともに、基板８４１には取付用ネジが嵌入する孔８４４が形成される。図８は支持部材８４の平面図であ
支持溝８４２はその内径が位置決めピン７４Ａ、７４Ｂの外径よりも数百ミクロン程度大であるように形成される。
【００３９】
位置決めピン７４Ａ、７４Ｂが支持溝８４２の上に乗ることにより、重ね合わせユニットＴが前面枠８０及び中間枠８１により支持される。
【００４０】
図９はキャップ部材８５を示し、図９（ａ）は平面図、図９（ｂ）は断面図である。キャップ部材８５は位置決めピン７４Ａ、７４Ｂが嵌入する筒状部８５１及び基板８５２を有し、基板８５２には、キャップ部材８５を前面枠８０及び中間枠８１に固定するネジが嵌入する溝８５３が形成される。
【００４１】
位置決めピン７４Ａ、７４Ｂには、図９に示すキャップ部材８５は差し込まれる。キャプ部材８５は樹脂製の部材であり、差し込んだ状態で、位置決めピン７４Ａ、７４Ｂと、突条８４３との間にキャップ部材８５が介在することにより、支持部材８４の支持溝８４２に支持される位置決めピン７４Ａ、７４Ｂを上方に押し上げる。
【００４２】
キャップ部材８５のこの押上作用により、重ね合わせユニットＴが引き出しユニットＤ及び画像形成装置本体Ｈに対して上方に押し上げられ、図７の位置決めピン８３の基部８３１が重ね合わせユニットＴの位置決め孔７３Ａ、７３Ｂに対して設計で定められた所定位置に位置づけられ。その結果、重ね合わせユニットＴが、前面枠８０及び背面枠８２に対して正確に位置付けられる。
【００４３】
このような締まり嵌めの作用を図１０を用いて説明する。
【００４４】
図１０において、ピンＰＮは図７におけるピン８３の基部８３１であり、孔ＡＰは図５における位置決め孔７３Ａ、７３Ｂである。
【００４５】
図９のキャップ部材８５により押上作用の結果、ピンはＰＮは孔ＡＰ内でＸＹ方向に押されて孔ＡＰの所定位置に接触して、ピンＰＮが位置決めされる。
【００４６】
このように、隙間嵌めにより位置決めされたピンＰＮがキャップ部材８５の作用による締まり嵌めにより、孔ＡＰ内の所定位置に位置設定され、重ね合わせユニットＴが高い位置精度で、引き出しユニットＤ及び画像形成装置本体Ｈに対して位置決めされる。
（２）実施の形態２
図５は本発明の他の実施の形態２に係るカラー画像形成装置を示す。
【００４７】
図示のカラー画像形成装置が、イエロートナー像を形成する像形成ユニットＹ、マゼンタトナー像を形成する像形成ユニットＭ、シアントナー像を形成する画等形成部Ｃ及び黒トナー像を形成する像形成ユニットＫを有する。各像形成ユニットは、Ｙ、Ｍ、Ｃ、Ｋの符号をそれぞれ付した感光体１、帯電装置２、露光装置３、現像装置４、転写装置５及びクリーニング装置６を備えている。
【００４８】
３１は記録材Ｐを搬送する搬送体としての搬送ベルトであり、駆動ローラ３１Ｒ１及び従動ローラ３１Ｒ２に張架され、駆動ローラ３１Ｒ１により駆動されて矢印のように循環移動する。
【００４９】
搬送ベルト３１及び駆動ローラ３１Ｒ１及び従動ローラ３１Ｒ２は像形成ユニットＹ、Ｍ、Ｃ、Ｋにおいて形成された単色トナー像が重ね合わされて形成される多色トナー像を担持する記録材Ｐを搬送する重ね合わせユニットＴを構成する。
【００５０】
該重ね合わせユニットＴと像形成ユニットＹ、Ｍ、Ｃ、Ｋとは実施の形態１と同様に隙間嵌め結合と締まり嵌め結合とにより結合される。
【００５１】
収納部１４から供給された記録材Ｐは、静電力により或いは機械的に密着させる密着手段３２により搬送ベルト３１に密着し、搬送ベルト３１により搬送され、像形成ユニットＹ、Ｍ、Ｃ、Ｋの転写位置を通過して、記録材Ｐ上にカラートナー像が形成される。形成されたカラートナー像は定着装置１３により定着される。
【００５２】
駆動ローラ３１Ｒ１は駆動ローラ駆動手段としてのモータＭＴにより駆動され、従動ローラ３１Ｒ２の軸は従動ローラ駆動手段としてのモータ２３で駆動される。
（３）実施の形態３
図６は本発明の更に他の実施の形態３に係るカラー画像形成装置を示す。
【００５３】
像担持体としての感光体ベルト４１に沿って像形成部Ｙ、Ｍ、Ｃ、Ｋが配置され、各像形成部は帯電装置２（Ｙ、Ｍ、Ｃ、Ｋ）露光装置３（Ｙ、Ｍ、Ｃ、Ｋ）、現像装置（Ｙ、Ｍ、Ｃ、Ｋ）４を有する。
【００５４】
５は感光体１上のカラートナー像を記録材Ｐに転写する転写装置、６は感光体１をクリーニングするクリーニング装置、２４は記録材Ｐ上のカラートナー像を定着する定着装置である。
【００５５】
感光体ベルト４１上には、イエロートナー像、マゼンタトナー像、シアントナー像及び黒トナー像が形成され重ね合わされてカラートナー像が形成される。形成されたカラートナー像は転写装置５により記録材Ｐに転写され、定着装置１３により定着される。
【００５６】
感光体ベルト４１を駆動する駆動ローラ４１Ｒ１はモータＭＴにより駆動され矢印のように移動して画像形成が行われる。
【００５７】
感光体ベルト４１、駆動ローラ４１Ｒ及び従動ローラ４１Ｒ２は重ね合わせユニット４０を構成し、像形成ユニットＹ、ＭＴ、Ｃ、Ｋと重ね合わせユニットＴとは実施の形態１と同様に隙間嵌め結合と締まり嵌め結合とにより結合される。
【００５８】
以上説明した実施の形態は、重ね合わせユニットの１循環移動で多色トナー像が形成されるカラー画像形成装置であるが、本発明は、このような方式のカラー画像形成装置に限定されない。即ち、重ね合わせユニットの１循環移動で１単色トナー像を形成し、複数回の循環移動により、中間転写体や感光体等の像担持体上に多色トナー像を重ね合わせ形成する方式の画像形成装置にも適用することができる。
【図面の簡単な説明】
【００５９】
【図１】本発明の実施の形態１に係るカラー画像形成装置の概略構成図である。
【図２】画像形成装置本体Ｈと重ね合わせユニットＴと像形成ユニットとしての引き出しユニットＤとの関係を示す図である。
【図３】引き出しユニットＤの前面枠８０を示す図である。
【図４】引き出しユニットＤの中間枠８１を示す図である。
【図５】画像形成装置本体Ｈの背面枠８２を示す図である。
【図６】重ね合わせユニットＴの斜視図である。
【図７】位置決めピン８３Ａ、８３Ｂを示す図である。
【図８】支持部材８４Ａ、８４Ｂを示す図である。
【図９】キャップ部材８５を示す図である。
【図１０】締まり嵌めの作用を説明するための図である。
【図１１】本発明の実施の形態２に係るカラー画像形成装置の概略構成図である。
【図１２】本発明の実施の形態３に係るカラー画像形成装置の概略構成図である。
【符号の説明】
【００６０】
Ｄ  引き出しユニット
Ｈ  画像形成装置本体
Ｔ  重ね合わせユニット
７１、７２  重ね合わせユニット枠
８０  前面枠
８１  中間枠
８２  背面枠
８３、８３Ａ、８３Ｂ  位置決めピン
８４、８４Ａ、８４Ｂ  支持部材
８５  キャップ部材
１００  画像形成装置
【図１】
2007178730.tif 000003
【図２】
2007178730.tif 000004
【図３】
2007178730.tif 000005
【図４】
2007178730.tif 000006
【図５】
2007178730.tif 000007
【図６】
2007178730.tif 000008
【図７】
2007178730.tif 000009
【図８】
2007178730.tif 000010
【図９】
2007178730.tif 000011
【図１０】
2007178730.tif 000012
【図１１】
2007178730.tif 000013
【図１２】
2007178730.tif 000014